(57)【特許請求の範囲】
【請求項１】
軸筒を振ることにより生じる重量体の慣性力によりチャックを前進させて芯を繰り出す振出式シャープペンシルにおいて、軸筒の後部に取り付けられる頭冠と、頭冠内に摺動可能に内蔵される押圧部材と、頭冠と押圧部材の間に張架され押圧部材を長手方向後方に付勢するリターンスプリングと、チャックに連結されかつ前記押圧部材の押圧面と当接可能な芯タンクとからなり、軸筒内に挿入される頭冠の細径部に長手方向に伸びた開口窓を形成するとともに、押圧部材に突起を形成し、押圧部材の突起を前記頭冠の開口窓に遊嵌することにより、押圧部材を長手方向に摺動可能に頭冠に連結することを特徴とする振出式シャープペンシル。
【発明の詳細な説明】
【０００１】
【発明の属する技術分野】
本発明は、重量体の慣性力によりチャックを前進させて芯を繰り出す振出式シャープペンシルに関するものである。
【０００２】
【従来の技術】
従来の振出式シャープペンシルにおいては、軸筒と押圧部材の間にリターンスプリングを張架するとともに、軸筒の係止段に押圧部材の係合突起を係止可能に構成し、リターンスプリングにより後方に付勢された押圧部材の係合突起を軸筒の係止段により係止するものが知られている。
【０００３】
【発明が解決しようとする課題】
上記した従来の振出式シャープペンシルは、軸筒に長手方向に伸びた開口窓を形成すると外観を損なうとの理由から、軸筒に係止段を設けてこの係止段に押圧部材の係合突起を係止していた。しかし、軸筒の後部に係止段を形成すると、射出成形においては、軸筒の内孔を形成するために必要なコアピンを軸筒の前方より抜かなければならず、軸筒の前部に内段を形成することが不可能であった。従って、チャックや締リング等からなる機構部を軸筒に取り付ける手段が複雑になるという課題があった。
本発明は、上記した課題を解消した振出式シャープペンシルを提供することを目的としたものである。
【０００４】
【課題を解決するための手段】
本発明は、軸筒を振ることにより生じる重量体の慣性力によりチャックを前進させて芯を繰り出す振出式シャープペンシルにおいて、軸筒の後部に取り付けられる頭冠と、頭冠内に摺動可能に内蔵される押圧部材と、頭冠と押圧部材の間に張架され押圧部材を長手方向後方に付勢するリターンスプリングと、チャックに連結されかつ前記押圧部材の押圧面と当接可能な芯タンクにより構成する。しかも、軸筒内に挿入される頭冠の細径部に長手方向に伸びた開口窓を形成するとともに、押圧部材に突起を形成し、押圧部材の突起を前記頭冠の開口窓に遊嵌することにより、押圧部材を長手方向に摺動可能に頭冠に連結して振出式シャープペンシルを構成するものである。
【０００５】
【実施例】
以下、図面に基づいて本発明の振出式シャープペンシルを説明する。図１、図２、図３及び図４は本発明の実施例を示すもので、チャック１と、コネクター２を介してチャック１に連結された芯タンク３と、チャック１の頭部に外嵌された締リング４と、締リング４を受け止める連結具５と、連結具５とコネクター２の間に張架されるスプリング６とにより振出式シャープペンシルの機構部を構成する。この機構部の芯タンク３及びコネクター２が挿通可能に軸筒７の前部孔７Ａを構成し、軸筒７の前端と軸筒７の前部に螺合された口金８の内段８Ａにより前記連結具５を挾持する。口金８には芯９を適宜の力で保持するゴム等の弾性体で構成された芯ホルダー１０が内蔵されている。軸筒７の後端より開口されかつ前記前部孔７Ａより太径の内孔７Ｂには、金属製の線材を巻回して円筒状に構成した重量体１１が摺動可能に内蔵され、この重量体１１の貫通孔に前記芯タンク３が挿通される。図５に示した頭冠１２は、上側にクリップ１３を一体に形成するとともに、前部に細径部１２Ａを形成する。この細径部１２Ａの外周面には前記クリップ１３の真下に位置して突起１２Ｂを形成するとともに、細径部１２Ａの両側部に長手方向に伸びた開口窓１２Ｃを対向して形成し、突起１２Ｂが位置する細径部１２Ａが適宜弾性変形可能に構成する。この頭冠１２には、前部内側に芯タンク３の横振れを防止するための内鍔１２Ｄが形成されるとともに、後部内側にはリターンスプリング１４を当接するための段部１２Ｅが形成される。更に、頭冠１２の後部孔１２Ｆの上下には前記開口窓１２Ｃと軸心に対して９０度ずれた位置にキー溝１２Ｇが対向して形成されている。また、図６及び図７に示したように、押圧部材１５の前部筒１５Ａ外周面の両側にはそれぞれ突起１５Ｂが形成されるとともに、前部筒１５Ａの上下に開口窓１５Ｃが対向して形成され、突起１５Ｂが位置する前部筒１５Ａが弾性変形可能に構成されている。この押圧部材１５の後部には外鍔部１５Ｄが形成され、該外鍔部１５Ｄの上下には前記突起１５Ｂと軸心に対して９０度ずれた位置に外方に突出したキー１５Ｅがそれぞれ形成される。更に、押圧部材１５の内面には芯挿通口１５Ｆを有する内鍔１５Ｇが形成され、この内鍔１５Ｇの前面が芯タンク３の後端を押圧する押圧面１５Ｈとなっている。この押圧部材１５の前部にリターンスプリング１４を外嵌した後、頭冠１２の後方より、頭冠１２のキー溝１２Ｇに押圧部材１５のキー１５Ｅを合わせて挿入し、押圧部材１５の突起１５Ｂを頭冠１２の開口窓１２Ｃに長手方向に摺動可能に遊嵌する。しかも前記リターンスプリング１４が頭冠１２の段部１２Ｅと押圧部材１５の外鍔部１５Ｄの間に張架されることにより通常押圧部材１５は長手方向後方に付勢されている。しかも押圧部材１５の前部内孔１５Ｉには芯タンク３の後部が挿入され、芯タンク３の後端と押圧部材１５の押圧面１５Ｈは適宜離間して構成されている。更に、押圧部材１５の後部内孔１５Ｊには消しゴム１６が嵌合されて取り付けられ、かつ消しゴム１６を覆うノブ１７が押圧部材１５の後部外面１５Ｋに嵌合されて図８及び図９に示した状態となる。このように組み立てられた頭冠１２が前記軸筒７の後端より挿入され、頭冠１２の突起１２Ｂが軸筒７の後部上面に形成された係止窓７Ｃに嵌め込まれて、頭冠１２が軸筒７に取り付けられる。しかも、軸筒７の係止窓７Ｃ及び頭冠１２の突起１２Ｂはクリップ１３により隠されるために外観を損なうことはない。また、頭冠１２の内鍔１２Ｄには前記芯タンク３の後部が挿通されるとともに、前記重量体１１はコネクター２の外鍔２Ａと頭冠１２の内鍔１２Ｄにより長手方向の摺動が規制される。
【０００６】
以上説明した振出式シャープペンシルは、軸筒７を振ることにより生じる重量体１１の慣性力によりチャック１を前進させて芯９を繰り出すとともに、芯タンク３内の次の芯９を追従させるには、ノブ１７を押圧することにより押圧部材１５の押圧面１５Ｈが芯タンク３の後端を押圧し、芯タンク３及びチャック１が前進することにより口金８内の短くなった残芯を排出するとともに次の芯９を口金８の先端より突出させるものである。
【０００７】
また、上記実施例においては、頭冠１２のキー溝１２Ｇに押圧部材１５のキー１５Ｅを合わせて押圧部材１５を頭冠１２に挿入することにより、押圧部材１５の突起１５Ｂを容易に頭冠１２の開口窓１２Ｃに遊嵌することができるものである。しかも、頭冠１２にリターンスプリング１４及び押圧部材１５を組み込んだ後に、頭冠１２を軸筒７に取り付けるので、押圧部材１５及びリターンスプリング１４の取り付けを容易に行うことができるものである。その上、軸筒７に強固に固定された頭冠１２に重量体１１を当接させるので、重量体１１の慣性力を確実に受け止めることができるものである。
【０００８】
図１０及び図１１は本発明の他の実施例を示したものである。尚、図１と同一の部材は同一の符号を付してその説明は省略する。軸筒１０７に、係止窓１０７Ｃと対向する位置に後端より長手方向前方に伸びた凹溝１０７Ｄを形成する。また、頭冠１１２の細径部１１２Ａに、突起１１２Ｂの反対側に位置しかつ長手方向に伸びた隆起部１１２Ｈを形成する。
【０００９】
従って、頭冠１１２の細径部１１２Ａを軸筒１０７の後端より挿入する時、細径部１１２Ａに形成した隆起部１１２Ｈを軸筒１０７の凹溝１０７Ｄに合わせて前進させれば、自動的に細径部１１２Ａの突起１１２Ｂが軸筒１０７の係止窓１０７Ｃに嵌め込まれて、頭冠１１２が軸筒１０７に取り付けられるものである。その上、頭冠１１２やクリップ１３に回転方向の応力が加えられても頭冠１１２は回動する恐れがなく、強固に軸筒１０７に取り付けられることができるものである。
【００１０】
【発明の効果】
以上説明した本発明の振出式シャープペンシルは、長手方向に伸びて頭冠に形成された開口窓に押圧部材の突起を遊嵌することにより、軸筒に押圧部材の突起を形成するための係止段が必要なくなり、軸筒を射出成形するためのコアピンを軸筒の後方より抜くことができるものである。従って、軸筒の前部孔を内孔より細径に形成でき、軸筒の前部に機構部が簡単に取り付けられる効果が奏せられるものである。
【図面の簡単な説明】
【図１】本発明の振出式シャープペンシルを示す断面図である。
【図２】図１のＡ−Ａ線を示す断面図である。
【図３】図１のＢ−Ｂ線を示す断面図である。
【図４】図１のＣ−Ｃ線を示す断面図である。
【図５】本発明の振出式シャープペンシルの頭冠を示す正面図である。
【図６】本発明の振出式シャープペンシルの押圧部材を示す正面図である。
【図７】本発明の振出式シャープペンシルの押圧部材を示す平面図である。
【図８】本発明の振出式シャープペンシルの頭冠に、押圧部材、リターンスプリング、消しゴム及びノブを組み込んだ構成を示す正面図である。
【図９】図８のＡ−Ａ線を示す断面図である。
【図１０】本発明の振出式シャープペンシルにおける他の実施例を示す主要部断面図である。
【図１１】図１０のＡ−Ａ線を示す断面図である。
【符号の説明】
１  チャック
３  芯タンク
７  軸筒
９  芯
１１  重量体
１２  頭冠
１２Ａ  頭冠１２の細径部
１２Ｃ  頭冠１２の開口窓
１４  リターンスプリング
１５  押圧部材
１５Ｂ  押圧部材１５の突起
１５Ｈ  押圧部材１５の押圧面
１０７  軸筒
１１２  頭冠
１１２Ａ  頭冠１１２の細径部
【図１】
0003831071.tif 000002
【図２】
0003831071.tif 000003
【図３】
0003831071.tif 000004
【図４】
0003831071.tif 000005
【図５】
0003831071.tif 000006
【図６】
0003831071.tif 000007
【図７】
0003831071.tif 000008
【図８】
0003831071.tif 000009
【図９】
0003831071.tif 000010
【図１０】
0003831071.tif 000011
【図１１】
0003831071.tif 000012